(57)【要約】【課題】小品種で多量生産を可能にし、安価に実施できながらも便座蓋の大きさや形状、厚み等が異なる便座蓋にも規定に装着することができる便座蓋カバーを提供する。【解決手段】便座蓋カバーを形成する裏地は伸縮性を有する生地で、装着口となる側の部分が表地より徐々に大きくなる形状とし、表地に縫着されて装着口を形成する裏地の両端部の位置を表地の先端から装着口側端部までの長さより１／２以上で表地の先端から装着口側端部までの長さより短く形成するとともに、裏地の端部を中央部分が表地の中央近傍に突出する波型曲線に形成した。【選択図】図５
2009011624.tif 000002
【特許請求の範囲】
【請求項１】
表生地と裏生地とを対面させた状態で装着口部分を除く周囲を縫着してなる便座蓋カバーであって、裏地は伸縮性を有する生地により、装着口となる側の部分が表地より徐々に大きくなる形状とし、表地に縫着されて装着口を形成する裏地の両端部の位置を表地の先端から装着口側端部までの長さより１／２以上の長さで且つ表地の先端から装着口側端部までの長さより短く形成され、装着口を形成する裏地の端部を中央部分が表地の中央近傍に突出する波型曲線に形成されるとともに、当該突出した裏地の端部とこれに対面する表地の裏面部分とにわたって装着具を設けたことを特徴とする便座蓋カバー。
【請求項２】
裏地が、ネットもしくはニットで形成されていることを特徴とする請求項１に記載の便座蓋カバー。
【発明の詳細な説明】
【技術分野】
【０００１】
本発明は、洋式便器などの便座蓋カバーに関するものである。
【背景技術】
【０００２】
本発明は、洋式便器などの便座蓋カバーに関するものである。
便器の使用時には跳ね上げられ、不使用時に便座の上面を覆うように揺動させて使用される便座蓋に装着する便座蓋カバーとしては特許文献１に記載されているように、洋式便座の蓋板を形取って重ね合わせた表地と裏地の二枚の生地の重なり合う周縁の中の蓋板ピン接合部に該当する一部の周縁を除く三方の周縁部分を縫合して袋状に縫製し、その未縫合の重なり合う一部の未縫合周縁を蓋板への装着口を形成するようにした便座蓋カバーが知られている。
【０００３】
こうしたものでは、便座蓋カバーが、一側縁部分が装着口として開口する袋状にしてあることから、便座蓋の大きさや形状、厚み等が異なるものには対応しきれず、その結果として、便座蓋カバーの製造者にとっては多品種で少量生産になり、製造コストが高くなってしまうという問題があった。
一方、これを購入する消費者にとっては価格が高くなるだけならまだしも、気に入ったデザインの便座蓋カバーがあっても、便座蓋の大きさや形状、厚み等により装着できるものでない場合も多く、不満の残る商品が多く出回っているのが現状である
【特許文献１】特開２００１−３２７４３６号公報
【発明の開示】
【発明が解決しようとする課題】
【０００４】
本発明は、上記問題点に鑑みて提案されたもので、小品種で多量生産を可能にし、安価に実施できながらも便座蓋５の大きさや形状、厚み等が異なる便座蓋５にも規定に装着することができる便座蓋カバーを提供できるようにすることを目的とするものである。
【課題を解決するための手段】
【０００５】
上記目的を達成するために本発明にかかる便座蓋カバーは、表生地と裏生地とを対面させた状態で装着口部分を除く周囲を縫着してなる便座蓋カバーであって、裏地は伸縮性を有する生地により、装着口となる側の部分が表地より徐々に大きくなる形状とし、表地に縫着されて装着口を形成する裏地の両端部の位置を表地の先端から装着口側端部までの長さより１／２以上の長さで且つ表地の先端から装着口側端部までの長さより短く形成され、装着口を形成する裏地の端部を中央部分が表地の中央近傍に突出する波型曲線に形成されるとともに、当該突出した裏地の端部とこれに対面する表地の裏面部分とにわたって装着具を設けたことを最も主要な特徴とするものである。
【０００６】
次に、本発明にかかる便座蓋カバーでは、裏地が、ネットもしくはニットで形成されていることも特徴とするものである。
【発明の効果】
【０００７】
本発明にかかる便座蓋カバーは、表生地と裏生地とを対面させた状態で装着口部分を除く周囲を縫着し、裏地は伸縮性を有する生地により、装着口となる側の部分が表地より徐々に大きくなる形状するとともに、表地が裏地よりも長くして装着口部分を覆うようにし、裏地の端部を中央部分が表地の中央近傍に突出する波型曲線に形成し、この突出した裏地の端部とこれに対面する表地の裏面部分とにわたって設けた装着具で便座蓋カバーを取り付けるようにしてあるので、便座蓋カバーを便座蓋に装着したとき柔軟性を有する裏地の伸縮により大きさや形状、厚み等が異なるものにでもきれいにフィットさせることができる。
これにより、便座蓋カバーの共用化をはかれ、少品種で多量生産を可能にし、便座蓋カバーを安価に提供することができる利点がある。
【０００８】
しかも、便座蓋カバーの共用化をはかれることから、気に入ったデザインの便座蓋カバーがあっても、便座蓋の大きさや形状、厚み等により装着できるものでない場合をなくすことができる利点もある。
【０００９】
加えて、裏地をネットもしくはニットのように組織自体が融通性を有する柔軟なもので形成したものでは、やじが大きく伸縮して便座蓋の大きさや形状、厚み等の異なる便座蓋にも極めて良好に沿って馴染み、簡単に且つ見た目にも美しく簡単に装着することができる利点がある。
【発明を実施するための最良の形態】
【００１０】
以下本発明にかかる便座蓋カバーのもっとも好ましい実施の形態を図面に基づいて説明する。
図１は本発明に係る便座蓋カバーの使用状態を示す斜視図であって、図中符号１はこの便座蓋カバーを全体的に示す。
この便座蓋カバー１は、トイレ２の床面３に設置された便器４の便座部分に揺動可能に設けられた便座蓋５に装着して使用されるもので、その詳細は図２および図３に示すようになっている。
【００１１】
すなわち、図２に示すように便座蓋カバー１は、一般の便座蓋５の形状であるところの前半部が半円で、装着口８側の後半部が角型に形成された表地６と、この表地６の裏面に配設される裏地７とを備えてなる。
表地６は表面（上面）にカットパイルを施し、この表面のカットパイル部分に種々のデザインがプリントあるいはカービング処理により施されている。
【００１２】
一方、裏地７はネット風の編地で形成されて伸縮性を有しており、その形状は、横幅Ｗが装着口８となる側の部分が表地６より徐々に大きくなる形状にしてある。
また、裏地７の長さＬは、表地６に縫着されて装着口８を形成したときに、表地６の先端６ａから装着口８側端部６ｂまでの長さより１／２以上の長さで，且つ表地６の先端６ａから装着口８側端部６ｂまでの長さより短く形成するとともに、装着口８を形成する裏地７の端部７ｂはその中央部分７ｃが表地６の装着口８側端部６ｂの中央近傍に突出させた波形曲線に形成されている。
【００１３】
この裏地７の長さＬを、表地６に縫着されて装着口８を形成したときに、表地６の先端６ａから装着口８側端部６ｂまでの長さより１／２以上の長さにしてあるのは、これの長さが１／２未満の長さでは便座蓋５に便座蓋カバー１を装着したときに、安定性が損なわれるだけでなく、便座蓋５の側面が大きく露出して見苦しくなるためである。
また、裏地７を表地６の先端６ａから装着口８側端部６ｂまでの長さより短くしてあるのは、後述するように装着具９で便座蓋カバー１が装着され、裏地７部分が中央部分７ｃに寄せられたときに、その中央部分７ｃが表地６より長くなってしまうのを防止するためである。
【００１４】
上記の表地６と裏地７は、その周縁同士６ｄ・７ｄを合わせた状態にし、装着口８を除く周縁部分６ｄ・７ｄを逢着するとともに、その逢着部分および装着口８部分をパイピン部１０で端部処理すると、図３及び図４に示すように裏地７部分がゆとりをもった状態で表地６と裏面に取り付けられる。
そして、装着口８を形成する表地６の中央部と裏地７の中央部分（波形の突出端部分）７ｃとにわたって装着具９が設けられる。
この装着具９は無数のループ部材１１とこれを掛止する無数の可撓性フック部材１２とからなるベルベットクロス式面状ファスナで形成されている。
【００１５】
上記のように構成された便座蓋カバー１を例えば図１に示す洋式便器の便座蓋５５に取り付ける場合を次に説明する。
先ず、先端部を持ち上げて便座蓋５を傾斜した状態にし、便座蓋カバー１の装着口８を便座蓋５の先端に被せ、便座蓋５を便座蓋カバー１内に挿入する。
次に、表地６の装着口８の中央部と裏地７の波形に突出した装着口８側の中央部分７ｃとにわたって設けられた装着具９で表地６と裏地７とを所定の張力でしっかりと固定して装着する。
【００１６】
斯くして便座蓋５に装着された便座蓋カバー１の表地６と裏地７とが装着具９により所定の張力で固定されるときに、裏地７の装着口８部分の波形に突出した中央部分７ｃが図５に示すように引っ張られるために、裏地７の周辺の編地が裏地７の挿入口部分の波形に突出した中央部に引き寄せられることから、表地６の周縁部分は便座蓋カバー１の周縁にそって巻き込まれる。
これにより、便座蓋５のサイズに大小がある場合でも表地６にしわが生じることなくきれいにフィットすることになる。
【００１７】
尚、上記実施の形態では裏地７をネット風の編地で形成するようにしてあるが、こうしたものに限られず、トリコットのように目の詰んだ生地や布帛は勿論のこと、伸縮性を有する合成樹脂シートやゴム紐等の伸縮性を有する糸で形成された生地で形成することができるのは言うまでもないことである。
また、上記実施の形態では装着具９を面状ファスナにしてあるが、これにフックを用いたり、紐で結ぶようにしてもよいことは言うまでもないことである。
【図面の簡単な説明】
【００１８】
【図１】本発明にかかる便座蓋カバーの使用状態を示す斜視図である。
【図２】本発明にかかる便座蓋カバーの分解斜視図である。
【図３】本発明にかかる便座座カバーの全体斜視図である。
【図４】本発明にかかる便座座カバーの裏面図である。
【図５】本発明の便座蓋カバーを取り付けた状態の便座蓋５の縦断面図である。
【符号の説明】
【００１９】
１・・・便座蓋カバー
５・・・便座蓋
６・・・表地
７・・・裏地
８・・・装着口
９・・・装着具
【図１】
2009011624.tif 000003
【図２】
2009011624.tif 000004
【図３】
2009011624.tif 000005
【図４】
2009011624.tif 000006
【図５】
2009011624.tif 000007